(57)【要約】      （修正有）【課題】視聴者の視聴状況によってテレビ電源やディスプレイ電源を切り、一方、該視聴していた番組を録画しておき、録画した番組を視聴者の視聴状況に合わせて自動再生することを可能にするカメラ付きテレビを提供する。【解決手段】テレビ放送を視聴する視聴者を撮影するカメラと、カメラが撮影した視聴者の第１視聴状況と設定された視聴条件とが一致するかを判定する映像処理部と、電源自動切断時間と視聴条件とを保存する設定情報保存部と、視聴条件と一致する第１視聴状況の経過時間と電源自動切断時間とが一致することを判定するタイマー監視部と、第１視聴状況の経過時間と電源自動切断時間とが一致した判定に基づき表示部の電源又はテレビ電源を切る電源制御部と、電源制御部が該電源を切った後にテレビ放送を録画する受信データ保存部と、録画したテレビ放送を視聴者の第２視聴状況に基づき自動で再生する再生処理部とを具備する。【選択図】図３
2009218755.tif 000002
【特許請求の範囲】
【請求項１】
テレビ放送を表示する表示部と、
前記テレビ放送の音声を出力する音声出力部と、
前記テレビ放送を視聴する視聴者を撮影するカメラと、
前記カメラが撮影した映像データに基づく前記視聴者の第１視聴状況と、設定された視聴条件とが一致するかを判定する映像処理部と、
前記表示部の電源又は前記表示部と前記音声出力部とを含むテレビ電源を自動で切るための電源自動切断時間と、前記視聴条件とを保存する設定情報保存部と、
前記視聴条件と一致する前記第１視聴状況の経過時間をカウントし、前記第１視聴状況の経過時間と前記電源自動切断時間とが一致することを判定するタイマー監視処理部と、
前記第１視聴状況の経過時間と前記電源自動切断時間とが一致した判定に基づき前記表示部の電源又は前記テレビ電源を切る電源制御部と、
前記電源制御部が前記表示部の電源又は前記テレビ電源を切った後に、前記テレビ放送を録画する受信データ保存部と、
録画した前記テレビ放送を前記視聴者の第２視聴状況に基づき自動で再生する再生データ処理部と
を具備し、前記電源制御部は前記第２視聴状況に基づき前記表示部の電源又は前記テレビ電源を入れる
カメラ付きテレビ。
【請求項２】
請求項１に記載のカメラ付きテレビであって、
前記テレビ放送の番組表を受信するテレビ放送受信部
を更に具備し、前記受信データ保存部は前記表示部の電源又は前記テレビ電源が切れた後に前記番組表に基づいて録画する
カメラ付きテレビ。
【請求項３】
テレビ放送を表示するステップと、
前記テレビ放送の音声を出力するステップと、
前記テレビ放送を視聴する視聴者を撮影するステップと、
前記視聴者を撮影するステップで撮影した映像データに基づく前記視聴者の第１視聴状況と、設定された視聴条件とが一致するかを判定するステップと、
前記表示部の電源又は前記表示部と前記音声出力部とを含むテレビ電源を自動で切るための電源自動切断時間と、前記視聴条件とを保存するステップと、
前記視聴条件と一致する前記第１視聴状況の経過時間をカウントし、前記第１視聴状況の経過時間と前記電源自動切断時間とが一致することを判定するステップと、
前記第１視聴状況の経過時間と前記電源自動切断時間とが一致した判定に基づき前記表示部の電源又は前記テレビ電源を切るステップと、
前記表示部の電源又は前記テレビ電源を切るステップの後に前記テレビ放送を録画するステップと、
前記視聴者の第２視聴状況に基づき前記表示部の電源又は前記テレビ電源を入れるステップと、
録画した前記テレビ放送を前記第２視聴状況に基づき自動で再生するステップと
を具備する
カメラ付きテレビの電源自動制御方法。
【請求項４】
請求項３に記載のカメラ付きテレビの電源自動制御方法であって、
前記テレビ放送の番組表を受信するステップ
を更に具備し、
前記録画するステップは
前記番組表に基づいて録画するステップ
を備える
カメラ付きテレビの電源自動制御方法。
【請求項５】
請求項３又は４に記載の方法をコンピュータに実行させる
カメラ付きテレビの電源自動制御プログラム。
【発明の詳細な説明】
【技術分野】
【０００１】
本発明は、カメラ付きテレビ、カメラ付きテレビの電源自動制御方法及びプログラムに関する。
【背景技術】
【０００２】
テレビの電源の自動切断方法として、テレビに内蔵されたタイマー機能に基づく切断方法がある。タイマー機能は、テレビ起動時からの経過時間、タイマー設定時からの経過時間あるいは一定の時刻などでテレビの電源を切る機能である。タイマー機能は、視聴者によって設定されてはいるものの設定時刻における視聴者の視聴状態に拘らずテレビの電源を切るように機能する。これにより、視聴者は視聴中であるにも拘らず電源が切られてしまうケースや、既に視聴者はテレビを視聴出来る状況になくてもテレビの電源が切られないケースがあり、タイマー機能は視聴状況に即しているとは言えない場合がある。
【０００３】
特許文献１には、テレビ聴視者が途中で眠ってしまった場合に、聴視者の眠たさの程度の覚醒度を検出し、覚醒度に応じてテレビの動作状態を選択し、自動的に停止操作する自動操作手段を備えた表示システムが提案されている。この表示システムは、聴視者に映像を表示する映像表示手段、聴視者の覚醒状態を検出する覚醒度検出手段からなり、映像表示手段は覚醒度検出手段の出力によって制御されることを特徴する。特許文献１の表示システムは、覚醒度検出手段が聴視者の覚醒度を検出し、検出した覚醒度に応じて映像表示手段を制御するので、聴視者が眠っているとき、又はいないときに表示システムが無駄に運転されることがなくなるというものである。
【０００４】
特許文献２には、顔の動作に基づき、こまめな省電力制御を行い、こまめな節電が可能な省電力制御方法及び装置が提案されている。この省電力制御方法は、顔の動作情報に基づき省電力制御ができることを特徴としており、ユーザが表示部を所定時間以上見ていないと判断できる場合に省電力化が図られるため、こまめな節電ができ、消費電力を抑えることが出来るというものである。特にディスプレイは電力消費量が大きく、実際にディスプレイを見ている時間は短く、見ていない間の無駄な電力消費を抑えることができ、省エネルギー効果が顕著に現れる。
【０００５】
【特許文献１】特開平９−３４４２４号公報
【特許文献２】特開平１１−２８８２５９号公報
【発明の開示】
【発明が解決しようとする課題】
【０００６】
本発明は、視聴者の視聴状況によって臨機応変にテレビ電源やディスプレイ電源を切ることと、見たい番組を見逃さないように録画することを可能し、また録画した番組を視聴者の視聴状況に合わせて自動再生することを可能にするカメラ付きテレビを提供することにある。
【課題を解決するための手段】
【０００７】
本発明のカメラ付きテレビは、テレビ放送を表示する表示部と、テレビ放送の音声を出力する音声出力部と、テレビ放送を視聴する視聴者を撮影するカメラと、カメラが撮影した映像データに基づく視聴者の第１視聴状況と設定された視聴条件とが一致するかを判定する映像処理部と、表示部の電源又は表示部と音声出力部とを含むテレビ電源を自動で切るための電源自動切断時間と視聴条件とを保存する設定情報保存部と、視聴条件と一致する第１視聴状況の経過時間をカウントし第１視聴状況の経過時間と電源自動切断時間とが一致することを判定するタイマー監視処理部と、第１視聴状況の経過時間と電源自動切断時間とが一致した判定に基づき表示部の電源又はテレビ電源を切る電源制御部と、電源制御部が表示部の電源又はテレビ電源を切った後にテレビ放送を録画する受信データ保存部と、録画したテレビ放送を視聴者の第２視聴状況に基づき自動で再生する再生データ処理部とを具備する。また、電源制御部は第２視聴状況に基づき表示部の電源又はテレビ電源を入れる。このようなカメラ付きテレビは、カメラで視聴者の視聴状況を撮影し、設定されている視聴条件と視聴状況が一致するか否かを判定する。そして、視聴条件と一致する視聴状況が一定時間経過すると表示部の電源又はテレビ電源を自動で切る。また、電源を自動で切った後に視聴者が見ていたテレビ放送を録画し、視聴者が再び視聴できる視聴状況となった場合に自動で再生する。
【発明の効果】
【０００８】
本発明のカメラ付きテレビは、視聴者の視聴状況によって臨機応変にテレビ電源やディスプレイ電源を切ることと、見たい番組を見逃さないように録画することが出来る。また、視聴者が再び視聴出来る状況になった場合、テレビ電源やディスプレイ電源を自動で入れ、且つ録画した番組の自動再生することも可能となる。
【発明を実施するための最良の形態】
【０００９】
以下、添付図面を参照して本発明の実施の形態によるカメラ付きテレビ１を説明する。
【００１０】
図１は、本発明のカメラ付きテレビ１の第１の実施の形態によるハードウエア構成例を示すブロック図である。図１を参照すると、カメラ付きテレビ１は、テレビ装置１０と、記録装置２０と、カメラ３０と、制御装置４０と、入力装置５０と、各装置を接続する通信網６０とを具備する。
【００１１】
テレビ装置１０は、テレビ放送の受信及び出力をする。このテレビ放送の受信及び出力に係る技術は既存の技術を用いるとする。記録装置２０は、ハードディスクレコーダーなどが例示されテレビ放送を録画及び再生する。再生されるテレビ放送は、テレビ装置１０から出力される。このテレビ放送の録画及び再生に係る技術は既存の技術を用いるとする。カメラ３０は、テレビ装置１０から出力されるテレビ放送を視聴する視聴者の映像を撮影し、映像データとして取得する。このカメラ３０に係る映像データの取得技術は既存の技術を用いるとする。制御装置４０は、テレビ装置１０と、記録装置２０と、カメラ３０と、入力装置５０とを制御する。制御装置に係る機能は後述する。入力装置５０は、リモコン部やボタンなどからなりテレビ装置１０と、記録装置２０と、カメラ３０と、制御装置４０とに信号を入力することができる。通信網６０は、テレビ装置１０と、記録装置２０と、カメラ３０と、制御装置４０と、入力装置５０とを接続する配線、通信ネットワーク等からなる。本発明は、テレビ装置１０と、記録装置２０と、カメラ３０と、制御装置４０とを全て同一ハードウエア内で構成することも、いくつかを組み合わせてハードウエアとすることも、各々異なるハードウエアとして接続する方法の何れでもよい。尚、本発明はハードウエア構成例と示したものに限定されず、各部はハードウエアとソフトウエアとを単独又は組み合わせて実現することが出来る。
【００１２】
本発明の実施の形態による制御装置４０は、情報処理装置を用いて実現可能である。図２は、本発明の制御装置４０の第１の実施の形態における、ハードウエア構成例を示すブロック図である。図２を参照すると、制御装置４０は、ＣＰＵ２（Ｃｅｎｔｒａｌ  Ｐｒｏｃｅｓｓｉｎｇ  Ｕｎｉｔ；中央演算処理装置）と、記憶部３と、入力部４と、出力部５と、各装置を接続するバス６とを備える情報処理装置で動作する。
【００１３】
ＣＰＵ２は、記憶部３に格納されている本発明のカメラ付きテレビ１に係る演算処理及び制御処理を行う。記憶部３は、ハードディスクやメモリ等からなり、本発明に係る各機能や手段を実現するＣＤ−ＲＯＭやＤＶＤ等のコンピュータ読み取り可能な記憶媒体から読み取られたプログラムや、入力部４から入力された信号やプログラム等をＣＰＵ２が実行可能な形式で格納する。記憶部３は、記憶装置２０に含まれていてもよい。入力部４は、リモコン部、ボタンなどからなり、コマンド及び信号等が入力される。入力部４は、入力装置５０に含まれていてもよい。出力部５は、ディスプレイなどからなりユーザーに認識させることが出来る。出力部５はテレビ装置１０に含まれていてもよい。
【００１４】
図３は、本発明のカメラ付きテレビ１の構成例の詳細を示すブロック図である。テレビ装置１０は、テレビ電源１１と、ディスプレイ１２と、スピーカ１３と、テレビ放送受信部１４とを備える。テレビ放送の受信及び出力を行うためのその他必要な機能は既存の技術を用いるとし図示しない。テレビ電源１１は、ディスプレイ電源１１ａとスピーカ電源１１ｂとを含む。テレビ電源１１を切るとディスプレイ電源１１ａと、スピーカ電源１１ｂとが共に切れる。ディスプレイ電源１１ａ又はスピーカ電源１１ｂとを各々切ることで、ディスプレイ１２とスピーカ１３との電源は個々に切ることが出来る。尚、テレビ電源１１は、その他のテレビ装置１０、記録装置２０、カメラ３０、制御装置４０、入力装置５０との各々の電源に影響を与えない。ディスプレイ１２は、テレビ放送受信部１４が受信したテレビ放送の映像及び記録装置２０に記録されて再生される映像を表示する。また、本発明に係る設定情報等も表示することが出来る。スピーカ１３は、テレビ放送受信部１４が受信したテレビ放送及び記録装置２０に記録されて再生される音声を出力する。テレビ放送受信部１４は、テレビ放送とテレビ放送の番組表とを受信し、ディスプレイ１２とスピーカ１３へ出力する。視聴者は、番組表に基づいて視聴予定の番組を調べ、制御装置４０へ登録することが出来る。
【００１５】
記録装置２０は、受信データ保存部２１を含む。受信データ保存部２１は、制御装置４０から録画を開始する情報を取得すると録画を開始し、録画を終了する情報を取得すると録画を終了する。受信データ保存部２１の録画は、録画時間長又はテレビ放送受信部１４で受信した番組表から選択した録画予定番組データに基づき制御装置４０が制御している。受信データ保存部２１が時間長で録画する場合は、テレビ電源１１又はディスプレイ電源１１ａが自動で切られてから時間長に従い録画する。この場合録画するチャンネルは、テレビ電源１１又はディスプレイ電源１１ａが自動で切られるまで表示していた番組となる。受信データ保存部２１が、番組名、番組開始時間、番組終了時間などを含む録画予定番組データに基づき録画する場合は、チャンネルと録画時間は録画予定番組データに基づく。視聴者は、予め見たい複数の番組を番組表に基づいて録画予定番組データとして制御装置４０へ登録しておいてもよい。その場合、突然番組を見れない状況になっても、見れなかった複数の番組を受信データ保存部２１が録画可能となるため視聴者の利便性は高まる。また、受信データ保存部２１は制御装置４０の制御によって録画したテレビ放送を再生する場合であっても録画を継続することが出来る。
【００１６】
カメラ３０は、テレビ装置１０から出力されるテレビ放送を視聴する視聴者の映像を撮影し、映像データとして取得する。カメラ３０が取得した映像データは、制御装置４０へ提供される。カメラ３０は、テレビ電源１１とは別に動作するため、ディスプレイ１２及びスピーカ１３が動作していない場合でも視聴者を撮影することが出来る。
図４は、本発明のカメラ付きテレビ１を利用時の正面図の一例である。図４を参照すると、カメラ３０はディスプレイ１２の上に配置されている。カメラ３０の配置位置はこのように視聴者を撮影しやすい場所に配置されることが好ましいがこれに限定するものではない。
【００１７】
制御装置４０は、電源制御部４１と、映像処理部４２と、再生データ処理部４３と、設定情報保存部４４と、タイマー監視処理部４５とを備える。
【００１８】
電源制御部４１は、テレビ電源１１、ディスプレイ電源１１ａ及びスピーカ電源１１ｂの電源のオンオフ制御を行う。タイマー監視処理部４５から取得する情報に基づいて電源を自動でオンオフすることと、視聴者の入力装置５０の操作に基づくオンオフ制御とを行う。テレビ電源１１、ディスプレイ電源１１ａ及びスピーカ電源１１ｂは、電源の操作を電源制御部４１に限るものではなく、テレビ装置１０がこれら電源を制御出来る構成を含んでいてもよい。更には、本発明のカメラ付きテレビ１は、テレビ装置１０と、記録装置２０と、カメラ３０と、制御装置４０とに各々別々に電源を制御する構成を含んでいてもよい。
【００１９】
図５は、カメラ３０による視聴者を撮影した映像イメージである。映像処理部４２は、カメラ３０が取得した映像データに基づき、視聴者である人物の体と、人物の顔の位置、顔の向き、目の位置、視線の方向などを総合的に解析する。映像処理部４２は、その解析結果に基づく視聴状況を取得する。視聴状況は、例えば、カメラ付きテレビ１から離れているか離れていないのか及びディスプレイ１２を見ているのか見ていないのかなど、視聴者がどのような状況で視聴しているのかの状態を示す。視聴条件は、カメラ付きテレビ１の電源を自動で制御する視聴状況の条件である。視聴状況が設定された視聴条件に当てはまるか否かの判定結果は、タイマー監視処理部４５へ提供される。ここで、映像処理部４２の視聴状況を取得するための映像データの解析方法及び判定方法については既存技術を使用する。
【００２０】
再生データ処理部４３は、受信データ保存部２１に保存されている番組を取得し、ディスプレイ１２とスピーカ１３に出力する。ここで、テレビ電源１１又はディスプレイ電源１１ａが電源制御部４１によって切られた後で、カメラ３０が撮影する視聴状況が、設定された視聴条件と一致せずに経過する時間を待機時間とする。例えば、視聴条件は視聴者がカメラ付きテレビ１の前に再び戻ってきたときとすると、視聴者がカメラ付きテレビ１の前に再び戻ってくるまでの経過時間が待機時間となる。また、テレビ電源１１又はディスプレイ電源１１ａが切れた後に、カメラ３０が撮影する視聴状況が設定された視聴条件と一致したとき、テレビ電源１１又はディスプレイ電源１１ａを自動で入れる動作を可能とする待機時間を待機許容時間とする。例えば、視聴条件は視聴者がディスプレイ１２を再び見始めたときとし、ディスプレイ電源１１ａの待機許容時間は３０分とすると、カメラ３０に撮影される視聴者がディスプレイ電源１１ａを切られてから３０分内にディスプレイ１２を再び見始めれば、消えていたディスプレイ電源１１ａは再び自動で入れられるというものである。即ち、本発明のカメラ付きテレビ１は待機時間が待機許容時間内であるとき、テレビ電源１１又はディスプレイ電源１１ａを自動で入れることが出来る。そして、テレビ電源１１又はディスプレイ電源１２が再び入れられたときに、再生データ処理部４３は受信データ保存部２１が録画したテレビ放送を自動再生することが出来る。尚、再生データ処理部４３が録画したテレビ放送を自動再生するか否かは、設定保存部４４に保存されている録画情報に基づく。録画情報は、録画時間長、録画予定番組データ、録画したテレビ放送の自動再生の情報を含む。また、再生データ処理部４３は受信データ保存部２１が録画中であっても、録画を終了しているところから再生することが出来る。つまり、本発明のカメラ付きテレビ１は録画と再生とを同時に行う機能を有する。
【００２１】
設定情報保存部４４は視聴者の設定による、電源自動切断時間と、録画情報と、待機許容時間とを保存する。ここで、テレビ電源１１又はディスプレイ電源１１ａが入れられているときに、カメラ３０が撮影する視聴状況が、設定された視聴条件と一致している経過時間を状態経過時間とする。例えば、視聴条件は視聴者がカメラ付きテレビ１を離れた状態とすると、視聴者がカメラ付きテレビ１を離れている時間が状態経過時間となる。そして、電源自動切断時間は、カメラ３０が撮影する視聴状況が、設定された視聴条件と一致している状態経過時間に応じてテレビ電源１１又はディスプレイ電源１１ａを自動で切るための時間である。例えば、視聴条件は視聴者がディスプレイ１２を見ていない状態とし、ディスプレイ電源１１ａの電源自動切断時間が３０分とすると、カメラ３０に撮影される視聴者がディスプレイ１２を見ないで３０分経過すると、ディスプレイ電源１１ａが切られるというものである。
録画情報は、テレビ電源１１又はディスプレイ電源１１ａが電源制御部４１によって切られた後、録画及び再生するための情報である。録画情報としては、テレビ電源１１又はディスプレイ電源１１ａが電源制御部４１によって切られてからの録画時間の長さと、番組表に基づき視聴者が設定した番組名、番組開始時間、番組終了時間を含む録画予定番組データと、録画したテレビ番組を自動再生するか否かの設定とを含む。
待機許容時間は前述の通り、テレビ電源１１又はディスプレイ電源１１ａが切れた後で、カメラ３０が撮影する視聴状況が設定された視聴条件と一致する場合に、その視聴状況が一致したときテレビ電源１１又はディスプレイ電源１１ａを入れることを可能にする待機時間である。
【００２２】
タイマー監視処理部４５は、状態経過時間をカウントする。そして、状態経過時間と予め設定情報保存部４４に保存されている電源自動切断時間とを比較し、状態経過時間が電源自動切断時間となったか否かを判定する。タイマー監視処理部４５は、状態経過時間が電源自動切断時間満了となったことを判定すると電源制御部４１に満了の情報を提供する。
また、タイマー監視処理部４５は録画情報に基づき録画を開始する情報を受信データ保存部２１へ提供する。タイマー監視処理部４５は、受信データ保存部２１が録画を開始すると録画時間をカウントする。そしてタイマー監視処理部４５は、録画時間が満了となったことを判定すると、録画終了の情報を受信データ保存部２１へ提供する。
更に、タイマー監視処理部４５は待機時間をカウントする。タイマー監視処理部４５は、待機時間と予め設定保存部４４に保存されている待機許容時間とを比較し、待機時間が待機許容時間となったか否かを判定する。タイマー監視処理部４５は、待機時間が待機許容時間満了となると、待機時間のカウントをリセットし、カメラ３０及び映像処理部４２は処理動作を終了する。
【００２３】
入力装置５０は、リモコン部５１を含む。リモコン部５１は、本発明のカメラ付きテレビ１に係る遠隔操作を行うことが出来る。テレビ装置１０と、記録装置２０と、カメラ３０と、制御装置４０とは、各々に入力装置５０を備えていてもよい。リモコン部５１は、カメラ付きテレビ１を起動するための信号を送信すると、カメラ３０は視聴者を撮影するため送信信号が送られた方向を撮影する。カメラ３０がリモコン部５１方向を撮影するための方法は、既存の技術を用いるとする。
【００２４】
図６から図９を参照して、本発明のカメラ付きテレビ１の第１の実施の形態による処理動作を説明する。図６は、カメラ付きテレビ１の第１の実施の形態の処理動作における設定処理動作を示したフローチャートである。図６を参照すると、初回起動の場合、リモコン部５１は視聴者の操作によってカメラ付きテレビ１を初めて起動する信号をカメラ付きテレビ１へ送信する（ステップＳ０１）。初回起動でない場合、リモコン部５１は視聴者の操作よって設定画面を起動させる信号をカメラ付きテレビ１へ送信する（ステップＳ０２）。設定情報保存部４４は、設定画面を起動させる信号を取得すると各種設定値を読み出し、ディスプレイ１２へ表示させる（ステップＳ０３、ステップＳ０４）。
【００２５】
図７は、カメラ付きテレビ１の第１の実施の形態による設定画面の構成例である。図７を参照すると、設定情報保存部４４は電源自動切断時間を視聴者に入力させる項目を有する。この設定画面ではテレビ電源１１の電源自動切断時間とディスプレイ電源１１ａの電源自動切断時間とを各々視聴者に入力させる項目を有する。まず、テレビ電源１１の電源自動切断時間の設定では、映像処理部４２が判定する視聴者の視聴条件は、視聴者がカメラ付きテレビ１から離れた状態又はディスプレイ１２を見ていない状態である。各々の状態経過時間はタイマー監視処理部４５にカウントされる。視聴者の設定するテレビ電源１１の電源自動切断時間内に視聴者がカメラ付きテレビ１から離れていない状態又はディスプレイ１２を見ている状態となればテレビ電源１１は切られないが、そうでなければ電源自動切断時間でテレビ電源１１は切られる。更に設定情報保存部４４は、カメラ付きテレビ１の起動後の経過時間に基づきテレビ電源１１を切る設定と、指定時刻にテレビ電源１１を切る設定とを有するが、この２つの設定は従来から備わる技術であり、本発明のカメラ付きテレビ１特有の機能ではないため説明は省略する。次に、ディスプレイ電源１１ａの電源自動切断時間の設定では、映像処理部４２が判定する視聴者の視聴条件は、ディスプレイ１２を見ていない状態である。この状態経過時間は、タイマー監視処理部４５にカウントされる。視聴者の設定するディスプレイ電源１１ａの電源自動切断時間内に視聴者がディスプレイ１２を見ている状態となればディスプレイ電源１１ａは切られないが、見なければ電源自動切断時間でディスプレイ電源１１ａは切られることになる。
【００２６】
設定情報保存部４４は、録画情報を視聴者に入力させる項目を有する。ここでは、視聴中の番組を録画するか否かの項目を有する。更に、受信データ保存部２１が録画する時間を視聴者に入力させる項目を有する。受信データ保存部２１は、テレビ電源１１又はディスプレイ電源１１ａが切れた後に視聴者がそれまで視聴していたテレビ放送を録画するため、この録画情報の設定によっていつ録画を終了させるのかを決めておくことが出来る。また図示していないが、テレビ放送受信部１４が番組表を受信する場合は、番組表に基づき番組名、番組開始時間、番組終了時間等を含む録画予定番組データを設定するようにしてもよい。番組表に基づき設定しておくと、視聴予定であったテレビ放送が複数の異なるチャンネルであったとしても録画することが出来る。
【００２７】
図６を参照して、設定情報保存部４４は視聴者のリモコン部５１の入力操作に基づき図７の設定画面に対応した設定情報を取得する（ステップＳ０５）。設定情報保存部４４は、視聴者が入力する設定情報の確定の信号を取得し、設定情報を保存する（ステップＳ０６、ステップＳ０７）。設定情報保存部４４は、ディスプレイ１２の表示内容を通常のテレビ映像に切り替える（ステップＳ０８）。
【００２８】
図８は、設定情報を保存後の、カメラ付きテレビ１の第１の実施の形態による処理動作を示したフローチャートである。図８を参照すると、視聴者の操作によりリモコン部５１から送信された信号の受信に基づき、テレビ電源１１及びディスプレイ電源１１ａは入れられる（ステップＳ１０）。テレビ放送受信部１４は受信したテレビ放送をディスプレイ１２に出力する（ステップＳ１１）。タイマー監視処理部４５は、全てのカウントをクリアする（ステップＳ１２）。
【００２９】
設定情報保存部４４は、保存してある設定情報を読み出す（ステップＳ１３）。設定情報は、電源自動切断時間、録画情報などが含まれる。設定情報保存部４４は、テレビ電源１１又はディスプレイ電源１１ａを自動で切る設定があるか否かを判定する（ステップＳ１４）。テレビ電源１１及びディスプレイ電源１１ａのどちらの設定もされてない場合は、カメラ付きテレビ１は本発明の電源自動制御の機能を終了する。設定がある場合は、カメラ３０はリモコン部５１から送信された信号方向を中心として視聴者を撮影する。カメラ３０は、撮影した映像データを映像処理部４２へ提供する。映像処理部４２は、提供された映像データに基づき視聴者である人物と、その人物の顔の位置、顔の向き、目の位置、視線の方向などを解析し、視聴者の視聴状況を取得する（ステップＳ１５）。映像処理部４２は取得した視聴状況に基づいて、視聴条件である視聴者がカメラ付きテレビ１から離れているか離れていないのかを判定する（ステップＳ１６）。視聴状況によって得られた判定結果は、タイマー監視処理部４５へ提供される。
【００３０】
タイマー監視処理部４５は、映像処理部４２から視聴者がカメラ付きテレビ１を離れた状態である情報を取得すると、状態経過時間をカウントする（ステップＳ１７）。映像処理部４２は、カメラ３０から提供される映像データに基づいて継続して視聴状況を取得する（ステップＳ１８）。映像処理部４２は、視聴状況に基づき視聴条件である視聴者がカメラ付きテレビ１を離れた状態であるか否かを判定する（ステップＳ１９）。ここで、映像処理部４２が視聴者はカメラ付きテレビ１を離れていないと判定した場合は、タイマー監視処理部４５は状態経過時間のカウントをクリアする（ステップＳ２０）。また、映像処理部４２が視聴者はカメラ付きテレビ１を離れていると判定した場合、タイマー監視処理部４５は状態経過時間が電源自動切断時間を満了したか否かを判定する（ステップＳ２１）。タイマー監視処理部４５が状態経過時間は電源自動切断時間を満了していないと判定すると、状態経過時間のカウントを続行させながらステップＳ１８の視聴状況の取得へ戻る。タイマー監視処理部４５が状態経過時間は電源自動切断時間を満了したと判定すると、電源自動切断時間の満了後の処理動作１Ａへ進む。
【００３１】
映像処理部４２が、ステップＳ１６、ステップＳ１９において視聴者がカメラ付きテレビ１を離れていないと判定した場合、映像処理部４２は視聴者がディスプレイ１２を見ているか否かをカメラ３０から取得した映像データに基づく視聴状況から判定する（ステップＳ２２）。ここで映像処理部４２が、視聴者はディスプレイ１２を見ていると判定した場合、再びステップＳ１５へと進む。また、視聴者がディスプレイ１２を見ているか否かの設定を有していない場合もステップＳ１５へ進むとする。
【００３２】
タイマー監視処理部４５は、映像処理部４２から視聴者がディスプレイ１２を見ていない状態である情報を取得すると、状態経過時間をカウントする（ステップＳ２３）。映像処理部４２は、カメラ３０から提供される映像データに基づいて継続して視聴状況を取得する（ステップＳ２４）。映像処理部４２は、視聴状況に基づき視聴条件である視聴者がディスプレイ１２を見ているか否かを判定する（ステップＳ２５）。ここで、映像処理部４２が視聴者はディスプレイ１２を見ていると判定した場合は、タイマー監視処理部４５は状態経過時間のカウントをクリアする（ステップＳ２６）。また、映像処理部４２が視聴者はディスプレイ１２を見ていないと判定した場合、タイマー監視処理部４５は状態経過時間が電源自動切断時間を満了したか否かを判定する（ステップＳ２７）。タイマー監視処理部４５は状態経過時間が電源自動切断時間を満了していないと判定すると、状態経過時間のカウントを続行させながらステップＳ２４の視聴状況の取得へ戻る。タイマー監視処理部４５は状態経過時間が電源自動切断時間を満了したと判定すると、電源自動切断時間の満了後の処理動作１Ａへ進む。
【００３３】
図９は、電源自動切断時間の満了後の、カメラ付きテレビ１の第１の実施の形態による処理動作を示したフローチャートである。図９を参照すると、タイマー監視処理部４５は、満了した状態経過時間がテレビ電源１１とディスプレイ電源１１ａとのどちらを自動で切る設定であるかを判定する（ステップＳ３０）。
【００３４】
タイマー監視処理部４５がディスプレイ電源１１ａを自動で切る設定の状態経過時間が満了したと判定した場合、タイマー監視処理部４５はディスプレイ電源１１ａを切る情報を電源制御部４１へ提供する。電源制御部４１は、タイマー監視処理部４５から取得した情報に基づいてディスプレイ電源１１ａを切る（ステップＳ３１）。この処理によって、カメラ付きテレビ１のディスプレイ１２のみが切れ、スピーカ１３からは音声が出力され続ける状態となる。
【００３５】
タイマー監視処理部４５は、録画情報としてディスプレイ電源１１ａが切れた後に録画する設定が設定情報保存部４４にあるか否かを判定する（ステップＳ３２）。タイマー監視処理部４５は、ディスプレイ電源１１ａが切れた後に録画する設定がない場合、テレビ電源１１を自動で切る設定が設定情報保存部４４にあるか否かを判定する（ステップＳ３３）。タイマー監視処理部４５が、テレビ電源１１を自動で切る設定がないと判定した場合、カメラ付きテレビ１は本発明の電源自動制御の機能を終了する。タイマー監視処理部４５が、テレビ電源１１を自動で切る設定があると判定し場合は、映像処理部４２は視聴状況を取得して、視聴者がカメラ付きテレビ１を離れた状態又はディスプレイ１２を見ていない状態を判定し、状態経過時間のカウントをする。状態経過時間がテレビ電源１１に関連する電源自動切断時間を満了したら、タイマー監視処理部４５は、電源制御部４１へテレビ電源１１の電源自動切断時間満了の情報を提供する（ステップＳ３４）。これ以降は、図９に示した「２」の処理動作へ進む。
【００３６】
ステップＳ３２において、タイマー監視処理部４５は、録画情報としてディスプレイ電源１１ａが切れた後に録画する設定があると判定した場合、受信データ保存部２１へ録画開始の情報を提供する。そして、タイマー監視処理部４５は録画時間をカウントする。受信データ保存部２１は、それまで視聴者が見ていたテレビ放送を録画する。また、視聴者が番組表に基づく録画予定番組データを設定している場合は、タイマー監視処理部４５は録画予定番組データに基づいて録画を開始する情報を受信データ保存部２１へ提供する（ステップＳ３５）。
【００３７】
タイマー監視処理部４５は、テレビ電源１１を自動で切る設定があるか否かを判定する（ステップＳ３６）。テレビ電源１１を自動で切る設定がない場合、タイマー監視処理部４５は、録画時間が録画情報の録画終了時間に到達したことを判定し、録画終了の情報を受信データ保存部２１へ提供する。受信データ保存部２１は、提供された録画終了の情報に基づいて録画を終了する（ステップＳ３７）。
【００３８】
ステップＳ３６において、テレビ電源１１を自動で切る設定があると判定した場合は、タイマー監視処理部４５は、テレビ電源１１の電源自動切断時間と、録画情報に基づく録画の終了時間とを比較してどちらが早く時間満了となるかを判定する（ステップＳ３８）。タイマー監視処理部４５が、録画終了時刻よりもテレビ電源１１の電源自動切断時刻が後であると判定した場合は、まず受信データ保存部２１での録画が終了する（ステップＳ３９）。一方、映像処理部４２は視聴状況の取得を継続しており視聴者がカメラ付きテレビ１を離れた状態又はディスプレイ１２を見ていない状態を判定し、タイマー監視処理部４５は状態経過時間のカウントをする。状態経過時間がテレビ電源１１の電源自動切断時間を満了したら、タイマー監視処理部４５は電源制御部４１へテレビ電源１１の電源自動切断時間満了の情報を提供する。ステップＳ３８でタイマー監視処理部４５が、テレビ電源１１の電源自動切断時間よりも録画終了時刻が後であると判定した場合、録画を継続したまま同様の処理動作後にテレビ電源１１の電源自動切断時間の満了の情報を電源制御部４１へ提供する（ステップＳ４０）。
【００３９】
ステップＳ３０において、満了した状態経過時間がテレビ電源１１である場合を説明する。更に、ステップＳ３４及びステップＳ４０後の処理動作も併せて説明する。タイマー監視処理部４５が状態経過時間がテレビ電源１１の電源自動切断時間の満了を電源制御部４１へ提供すると、電源制御部４１はテレビ電源１１を切る（ステップＳ４１）。タイマー監視処理部４５は、状態経過時間のカウントをクリアする。
【００４０】
タイマー監視処理部４５は、テレビ電源１１が切られた後に録画する設定があるか否かを判定する（ステップＳ４２）。テレビ電源１１が切られた後の録画設定がない場合は、カメラ付きテレビ１は本発明の電源自動制御の機能を終了する。タイマー監視処理部４５は、設定情報保存部４４に録画設定があると判定した場合、録画情報を取得する。タイマー監視処理部４５は、ディスプレイ電源１１ａを切った後で録画を開始するが、既に録画予定の番組の録画が終了しているか否かを判定する（ステップＳ４３）。タイマー監視処理部４５がディスプレイ電源１１ａを切った後に、録画を開始し録画を終了していると判定した場合は、カメラ付きテレビ１は本発明の電源自動制御の機能を終了する。タイマー監視処理部４５がディスプレイ電源１１ａを切った後の録画を終了していないと判定した場合は、更に録画が始まっているか否かを判定する（ステップＳ４４）。タイマー監視処理部４５は、録画が始まっていないと判定した場合は、テレビ電源１１が切られた後の録画開始の情報を受信データ保存部２１へ提供し、録画時間のカウントを開始する。ここで、録画情報が番組表に基づく録画予定番組データである場合は、番組表に基づく時間で録画を開始する（ステップＳ４５）。タイマー監視処理部４５は、設定保存部４４の録画情報に基づき録画時間のカウントが録画終了時間となった場合、受信データ保存部２１へ録画終了の情報を提供する。受信データ保存部２１は、録画終了の情報に基づき録画を終了する。ステップＳ４４において、ディスプレイ電源１１ａが切れた後に録画を開始している場合も同様に、設定保存部４４の録画情報に基づき録画時間のカウントが録画終了時間となった場合、受信データ保存部２１へ録画終了の情報を提供し、受信データ保存部２１は録画終了の情報に基づき録画を終了する。また、ディスプレイ電源１１ａが切れた後に録画を開始しているものの、テレビ電源１１が切れた後の録画終了時間が後である場合は、テレビ電源１１が切れた後の録画時間に従う（ステップＳ４６）。録画情報が番組表に基づき、複数の番組を録画する場合は、ディスプレイ電源１１ａ又はテレビ電源１１を切った後に、番組表に基づく録画開始及び録画終了を繰り返してもよい。録画されたテレビ放送を再生するには、再生データ処理部４３が受信データ保存部２１に保存されているテレビ放送を抽出して、ディスプレイ１２及びスピーカ１３に出力することでなされる。
【００４１】
本発明のカメラ付きテレビ１の第１の実施の形態は、視聴者がカメラ付きテレビ１の側を離れていない、つまり見ることが出来る場所に居るが、ディスプレイ１２を見ることが出来ない状態が続くときは、ディスプレイ１２だけを消してスピーカ１３から音声のみを聴くことを可能にしている。また、視聴中に眠ってしまったり、カメラ付きテレビ１の側を離れてしばらく戻ってこられない状態が続くときに、ディスプレイ１２とスピーカ１３との電源を切ることができ、無駄な動作を継続させることがない。これらは、視聴者の視聴状況を体の体勢、顔の向き、視線など総合的に判定し、更にその視聴状況の経過時間を併せて判断することで成しえている。更に、本発明のカメラ付きテレビ１はテレビ電源１１又はディスプレイ電源１１ａが切れた後、視聴者が見たかったテレビ放送を見逃さないように録画する機能を有している。録画するテレビ放送は、受信した番組表に基づくと視聴したいと思っていた異なるチャンネルの番組を逃さず録画できる効果も有しており、視聴者の利便性が向上している。
【００４２】
次に本発明のカメラ付きテレビ１の第２の実施の形態を説明する。本発明の第２の実施の形態は、前述した第１の実施の形態に、テレビ電源１１を自動で切った後で視聴者がカメラ付きテレビ１の前に再び戻ってきたときに、テレビ電源１１を再び入れることが出来る機能と、ディスプレイ電源１１ａを自動で切った後で視聴者がディスプレイ１２を再び見始めたときに、ディスプレイ電源１１ａを再び入れることが出来る機能とを追加したものである。本発明の第２の実施の形態に係る構成は第１の実施の形態と同様である。よって、第１の実施の形態で説明した図６から図９と、更に図１０から図１３を参照して本発明の第２の実施の形態によるカメラ付きテレビ１の処理動作を説明する。
【００４３】
本発明の第２の実施の形態は、第１の実施の形態同様に、まず図６の設定処処理動作を示したフローチャートを用いて説明する。ステップＳ０１からステップＳ０２の処理は第１の実施の形態で述べた通りである。設定情報保存部４４は、設定画面を起動させる信号を取得すると各種設定値を読み出し、ディスプレイ１２へ表示させる（ステップＳ０３、ステップＳ０４）。第２の実施の形態はここでの設定画面に、電源を自動で入れる設定が追加されている。
【００４４】
図１０は、本発明のカメラ付きテレビ１の第２の実施の形態による設定画面の構成例である。図１０を参照すると、設定情報保存部４４は待機許容時間（テレビ電源１１又はディスプレイ電源１１ａが切れた後で、映像処理部４２が判定する視聴状況が設定された視聴条件と一致する場合に、その視聴状況が一致したときテレビ電源１１又はディスプレイ電源１１ａを入れることを可能にする待機時間）を視聴者に入力させる項目を有している。この設定画面ではテレビ電源１１を自動で入れる待機許容時間と、ディスプレイ電源１１ａを自動で入れる待機許容時間とを視聴者に入力させる項目を有する。まず、テレビ電源１１の待機許容時間の設定では、テレビ電源１１が切れた後に映像処理部４２が視聴状況に基づいて判定する視聴条件は、視聴者がカメラ付きテレビ１の前に再び戻ってきた状態である。この状態は映像処理部４２に判定され、視聴者が戻ってくるまでタイマー監視処理部４５に待機時間をカウントされる。視聴者の設定するテレビ電源１１の待機許容時間内に視聴者が戻ってくればテレビ電源１１は自動で入れられるが、戻って来なければテレビ電源１１を自動で入れる機能は終了する。次に、ディスプレイ電源１１ａの待機許容時間の設定では、ディスプレイ電源１１ａが切れた後に映像処理部４２が視聴状況に基づいて判定する視聴条件は、視聴者がディスプレイ１２を再び見始めた状態である。この状態は映像処理部４２に判定され、視聴者がディスプレイ１２を見始めるまでタイマー監視処理部４５に待機時間をカウントされる。視聴者の設定するディスプレイ電源１１ａの待機許容時間内に視聴者がディスプレイ１２を見始めればディスプレイ電源１１ａは自動で入れられるが、戻って来なければディスプレイ電源１１ａを自動で入れる機能は終了する。更に、電源を自動で入れる場合に表示する映像を、録画したテレビ放送と受信中のテレビ放送とのどちらにするかを設定する項目が追加されている。その他の項目は第１の実施の形態と同様である。
【００４５】
図６を参照して、ステップＳ０５からステップＳ０８までの処理動作は前述した本発明の第１の実施の形態と同様である。
【００４６】
図８は第１の実施の形態で説明したフローチャートであるが、第２の実施の形態においてもステップ１０からステップＳ２７までは前述した第１の実施の形態と同様である。但し、設定情報に待機許容時間が含まれてもよい。タイマー監視処理部４５が、状態経過時間が満了したことを判定してからのステップＳ２１及びステップＳ２７以降の説明をする。尚、第２の実施の形態では、ステップＳ２１及びステップＳ２７以降は１Ｂの処理動作へ進む。
【００４７】
図１１は、電源自動切断時間の満了後の、第２の実施の形態によるカメラ付きテレビ１の処理動作を示したフローチャートである。図１１を参照すると、タイマー監視処理部４５は、満了した状態経過時間がテレビ電源１１とディスプレイ電源１１ａとのどちらを自動で切る設定であるかを判定する（ステップＳ５０）。
【００４８】
タイマー監視処理部４５は、状態経過時間がディスプレイ電源１１ａの電源自動切断時間を満了したと判定した場合、ディスプレイ電源１１ａを切る情報を電源制御部４１へ提供する。電源制御部４１は、タイマー監視処理部４５から取得した情報に基づいてディスプレイ電源１１ａを切る（ステップＳ５１）。この処理によって、カメラ付きテレビ１のディスプレイ１２のみが切れ、スピーカ１３からは音声が出力され続ける状態となる。
【００４９】
タイマー監視処理部４５は、ディスプレイ電源１１ａが切れた後でディスプレイ電源１１ａを自動で入れる設定があるか否かを判定する（ステップＳ５２）。タイマー監視処理部４５がディスプレイ電源１１ａを自動で入れる設定があると判定した場合、タイマー監視処理部４５は待機時間のカウントを開始する（ステップＳ５３）。タイマー監視処理部４５がディスプレイ電源１１ａを自動で入れる設定がないと判定した場合、図９に示した「４」の処理動作へ進む。
【００５０】
タイマー監視処理部４５は、録画情報としてディスプレイ電源１１ａが切れた後の録画設定が設定情報保存部４４にあるか否かを判定する（ステップＳ５４）。タイマー監視処理部４５は、ディスプレイ電源１１ａが切れた後に録画する設定があると判定した場合、設定情報保存部４４の録画情報に基づいて録画を開始する情報を受信データ保存部２１へ提供する。そして、タイマー監視処理部４５は録画時間をカウントする。受信データ保存部２１は、それまで視聴者が見ていたテレビ放送を録画する。また、視聴者が番組表に基づく録画予定番組データを設定している場合は、タイマー監視処理部４５は録画予定番組データに基づいて録画を開始する情報を受信データ保存部２１へ提供する（ステップＳ５５）。
【００５１】
タイマー監視処理部４５は、テレビ電源１１を自動で切る設定が設定情報保存部４４にあるか否かを判定する（ステップＳ５６）。タイマー監視処理部４５はテレビ電源１１を自動で切る設定があると判定した場合、カウント中のディスプレイ電源１１ａに関連する待機時間と設定情報保存部４４のディスプレイ電源１１ａの待機許容時間とを比較する。また、タイマー監視処理部４５はカウント中のテレビ電源１１に関連する状態経過時間と、設定情報保存部４４に保存されているテレビ電源１１の電源自動切断時間とを比較する。更に、タイマー監視処理部４５は、カウント中の録画時間と、設定情報保存部４４の録画情報とを比較する。映像処理部４２はカメラ３０の映像データに基づく視聴状況から、視聴条件である視聴者はディスプレイ１２を再び見始めたか否かを判定する。タイマー監視処理部４５は映像処理部４２から判定結果を取得し、各々の比較中の時間が満了になる前に視聴者はディスプレイ１２を見始めたか否かを判定する（ステップＳ５７）。
【００５２】
タイマー監視処理部４５は、視聴者がディスプレイ１２を再び見始める前にディスプレイ電源１１ａに関連する待機時間が待機許容時間を満了したと判定した場合は、ディスプレイ電源１１ａを自動で入れる機能を終了する。タイマー監視処理部４５は、同様にテレビ電源１１を自動で切る状態経過時間が電源自動切断時間を満了したと判定した場合は、電源制御部４１へテレビ電源１１を切る情報を提供する。電源制御部４１はタイマー監視処理部４５に基づく情報によってテレビ電源１１を切る。タイマー監視処理部４５は、同様に録画時間が録画情報含まれる録画終了時間を満了したと判定した場合は、受信データ保存部２１へ録画終了の情報を提供し、受信データ保存部２１は録画を終了する（ステップＳ５８）。尚、各々の動作は各々の満了時間ごとに行われる。
【００５３】
タイマー監視処理部４５が、ディスプレイ電源１１ａの待機許容時間内で映像処理部４２から視聴者が再びディスプレイ１２を見始めた情報を取得すると、タイマー監視処理部４５はその情報を電源制御部４１へ提供する。電源制御部４１は、視聴者がディスプレイ１２を再び見始めた情報に基づきディスプレイ電源１１ａを入れる（ステップＳ５９）。タイマー監視処理部４５は、ディスプレイ電源１１ａに関連する待機時間と、テレビ電源１１に関連する状態経過時間のカウントをクリアする（ステップＳ６０）。
【００５４】
再生データ処理部４３は、ディスプレイ電源１１ａを自動で入れた場合、録画されたテレビ放送を再生するか否かの設定を設定情報保存部４４に基づき判定する（ステップＳ６１）。再生データ処理部４３は、録画されたテレビ放送を再生しないと判定した場合、受信中のテレビ放送をディスプレイ１２出力する。タイマー監視処理部４５は、録画時間が録画情報に設定されている終了時間であることを判定すると、録画終了の情報を受信データ保存部２１へ提供する。受信データ保存部２１は、取得した録画終了の情報に基づき録画を終了する（ステップＳ６２）。これ以降は、図８に示した「６」の処理動作へ進む。
【００５５】
ステップＳ６１において、再生データ処理部４３は、録画されているテレビ放送を表示する判定をすると再生するデータを受信データ保存部２１から抽出し、ディスプレイ１２へ出力する（ステップＳ６３）。尚、再生データ処理部４３が録画されたテレビ放送を出力する際にも、受信データ保存部２１は録画を継続する。
【００５６】
タイマー監視処理部４５は、録画情報に基づき録画終了の情報を受信データ保存部２１へ提供する。受信データ保存部２１は、録画終了の情報を取得し録画を終了する（ステップＳ６４）。再生データ処理部４３は、録画されていたテレビ放送の再生を終了する（ステップＳ６５）。これ以降は、図８に示した「６」の処理動作へ進む。
【００５７】
ステップＳ５６において、タイマー監視処理部４５がテレビ電源１１を自動で切る設定がなされていないと判定すると、テレビ電源１１に関連する状態経過時間をリセットする。タイマー監視処理部４５は、カウント中のディスプレイ電源１１ａに関連する待機時間と設定情報保存部４４のディスプレイ電源１１ａの待機許容時間とを比較する。タイマー監視処理部４５は、カウント中の録画時間と、設定情報保存部４４の録画情報とを比較する。映像処理部４２はカメラ３０の映像データに基づく視聴状況から、視聴条件である視聴者はディスプレイ１２を再び見始めたか否かを判定する。タイマー監視処理部４５は、映像処理部４２から判定結果を取得し、各々の比較中の時間が満了になる前に視聴者はディスプレイ１２を再び見始めたか否かを判定する（ステップＳ６６）。
【００５８】
タイマー監視処理部４５が、ディスプレイ電源１１ａの待機許容時間内で映像処理部４２から視聴者がディスプレイ１２を再び見始めた情報を取得すると、タイマー監視処理部４５はその情報を電源制御部４１へ提供する。電源制御部４１は、視聴者がディスプレイ１２を再び見始めた情報に基づきディスプレイ電源１１ａを入れる（ステップＳ６７）。タイマー監視処理部４５は、ディスプレイ電源１１ａに関連する待機時間をクリアする（ステップＳ６８）。これ以降は、図１１に示した「７」の処理動作へ進む。
【００５９】
ステップＳ６６において、タイマー監視処理部４５は視聴者がディスプレイ１２を再び見始める前にディスプレイ電源１１ａに関連する待機時間がディスプレイ電源１１ａに関連する待機許容時間を満了したと判定した場合は、ディスプレイ電源１１ａを自動で入れる機能を終了する。タイマー監視処理部４５は、同様に録画時間が録画情報含まれる録画終了時間を満了したと判定した場合は、受信データ保存部２１へ録画終了の情報を提供し、受信データ保存部２１は録画を終了する（ステップＳ６９）。各々の動作は各々の満了時間ごとに行われる。
【００６０】
次に、ステップＳ５０において、満了した状態経過時間がテレビ電源１１に関連する電源自動切断時間であった場合の処理動作「３」へ進む説明をする。図１２は、図１１の「３」へ進んだ場合の第２の実施の形態によるカメラ付きテレビ１の処理動作を示したフローチャートである。タイマー監視処理部４５は、満了した状態経過時間がテレビ電源１１に関連する電源自動切断時間である場合、テレビ電源１１を切る情報を電源制御部４１へ提供する。電源制御部４１は、テレビ電源１１を切る情報に基づき、テレビ電源１１を切る（ステップＳ７０）。このとき状態経過時間のカウントをクリアする。
【００６１】
タイマー監視処理部４５は、設定情報保存部４４にテレビ電源１１を自動で入れる設定があるか否かを判定する（ステップＳ７１）。タイマー監視処理部４５はテレビ電源１１を自動で入れる設定がないと判定した場合は、図９の「８」の処理動作へ進む。テレビ電源１１を自動で入れる設定があると判定した場合は、タイマー監視処理部４５はテレビ電源１１に関連する待機時間のカウントを開始する（ステップＳ７２）。
【００６２】
タイマー監視処理部４５は、テレビ電源１１を切った後に録画する設定が設定情報保存部４４にあるか否かを判定する（ステップＳ７３）。録画する設定がある場合、タイマー監視処理部４５は、録画を開始する情報を受信データ保存部２１へ提供し、受信データ保存部２１は録画を開始する。そして、タイマー監視処理部４５は録画時間のカウントを開始する（ステップＳ７４）。
【００６３】
タイマー監視処理部４５は、カウント中のテレビ電源１１に関連する待機時間と設定情報保存部４４のテレビ電源１１の待機許容時間とを比較する。タイマー監視処理部４５は、カウント中の録画時間と設定情報保存部４４の録画情報とを比較する。映像処理部４２はカメラ３０の映像データに基づく視聴状況から、視聴条件である視聴者はカメラ付きテレビ１の前に再び戻ってきたか否かを判定する。タイマー監視処理部４５は、映像処理部４２から判定結果を取得し、各々の比較中の時間が満了になる前に視聴者はカメラ付きテレビ１の前に再び戻ってきたかを判定する（ステップＳ７５）。
【００６４】
タイマー監視処理部４５は、視聴者が再びカメラ付きテレビ１の前に戻ってくる前にテレビ電源１１に関連する待機時間がテレビ電源１１の待機許容時間を満了したと判定した場合は、カメラ付きテレビ１はテレビ電源１１を自動で入れる機能を終了する。タイマー監視処理部４５は、同様に録画時間が録画情報含まれる録画終了時間を満了したと判定した場合は、受信データ保存部２１へ録画終了の情報を提供し、受信データ保存部２１は録画を終了する（ステップＳ７６）。各々の動作は各々の満了時間ごとに行われる。
【００６５】
ステップＳ７５において、タイマー監視処理部４５が、テレビ電源１１に関連する待機許容時間内で映像処理部４２から視聴者がカメラ付きテレビ１の前に再び戻ってきた情報を取得すると、タイマー監視処理部４５はその情報を電源制御部４１へ提供する。電源制御部４１は、視聴者がカメラ付きテレビ１の前に再び戻ってきた情報に基づきテレビ電源１１を入れる（ステップＳ７７）。タイマー監視処理部４５は、テレビ電源１１に関連する待機時間をクリアする（ステップＳ７８）。これ以降は、図１１に示した「７」の処理動作へ進む。
【００６６】
ステップＳ７３において、タイマー監視処理部４５は、テレビ電源１１を切った後の録画を行わないと判定した場合、カウント中のテレビ電源１１に関連する待機時間と設定情報保存部４４のテレビ電源１１の待機許容時間とを比較する。映像処理部４２は、カメラ３０の映像データに基づく視聴状況から、視聴条件である視聴者はカメラ付きテレビ１の前に再び戻ってきたか否かを判定する。タイマー監視処理部４５は、映像処理部４２から判定結果を取得し、比較中の時間が満了になる前に視聴者はカメラ付きテレビ１の前に再び戻ってきたか否かを判定する（ステップＳ７９）。
【００６７】
タイマー監視処理部４５は、視聴者がカメラ付きテレビ１の前に再び戻ってくる前にテレビ電源１１に関連する待機時間がテレビ電源１１の待機許容時間を満了したと判定した場合は、カメラ付きテレビ１はテレビ電源１１を自動で入れる機能を終了する（ステップＳ８０）。
【００６８】
ステップＳ７９において、タイマー監視処理部４５が、映像処理部４２から視聴者がカメラ付きテレビ１の前に再び戻ってきた情報を取得すると、タイマー監視処理部４５はその情報を電源制御部４１へ提供する。電源制御部４１は、視聴者がカメラ付きテレビ１の前に再び戻ってきた情報に基づきテレビ電源１１を入れる（ステップＳ８１）。タイマー監視処理部４５は、テレビ電源１１に関連する待機時間をクリアする（ステップＳ８２）。これ以降は、図８に示した「６」の処理動作へ進む。
【００６９】
次に、図１１のステップＳ５４において、ディスプレイ電源１１ａを切った後に録画を開始しないと判定した場合の「５」へ進む処理動作を説明する。図１３は、図１１の「５」へ進んだ場合の第２の実施の形態によるカメラ付きテレビ１の処理動作を示したフローチャートである。タイマー監視処理部４５は、テレビ電源１１を自動で切る設定があるか否かを判定する（ステップＳ８３）。
【００７０】
タイマー監視処理部４５がテレビ電源１１を自動で切る設定があると判定した場合、タイマー監視処理部４５はカウント中のテレビ電源１１に関連する待機時間と設定情報保存部４４のテレビ電源１１の待機許容時間とを比較する。タイマー監視処理部４５は、カウント中のテレビ電源１１に関連する状態経過時間と、設定情報保存部４４の電源自動切断時間とを比較する。映像処理部４２は、カメラ３０の映像データに基づく視聴状況から、視聴条件である視聴者はディスプレイ１２を再び見始めたか否かを判定する。タイマー監視処理部４５は、映像処理部４２から判定結果を取得し、各々の比較中の時間が満了になる前に視聴者はディスプレイ１２を再び見始めたかを判定する（ステップＳ８４）。
【００７１】
タイマー監視処理部４５は視聴者がディスプレイ１２を再び見始める前にディスプレイ電源１１ａに関連する待機時間がディスプレイ電源１１ａの待機許容時間を満了したと判定した場合は、ディスプレイ電源１１ａを自動で入れる機能を終了する。タイマー監視処理部４５は、テレビ電源１１に関連する状態経過時間がテレビ電源１１の電源自動切断時間を満了したと判定した場合は、電源制御部４１へテレビ電源１１を切る情報を提供し、電源制御部４１によってテレビ電源１１は切られる（ステップＳ８５）。各々の動作は各々の満了時間ごとに行われる。これ以降は、図１２に示した「９」の処理動作へ進む。
【００７２】
ステップＳ８４において、タイマー監視処理部４５が、映像処理部４２から視聴者がディスプレイ１２を再び見始めた情報を取得すると、タイマー監視処理部４５はその情報を電源制御部４１へ提供する。電源制御部４１は、視聴者がディスプレイ１２を再び見始めた情報に基づきディスプレイ電源１１ａを入れる（ステップＳ８６）。タイマー監視処理部４５は、ディスプレイ電源１１ａに関連する待機時間とテレビ電源１１に関連する状態経過時間とをクリアする（ステップＳ８７）。これ以降は、図８に示した「６」の処理動作へ進む。
【００７３】
ステップＳ８３において、テレビ電源１１を自動で切る設定がないと判定した場合、タイマー監視処理部４５はカウント中のディスプレイ電源１１ａに関連する待機時間と設定情報保存部４４のディスプレイ電源１１ａの待機許容時間とを比較する。映像処理部４２は、カメラ３０の映像データに基づく視聴状況から、視聴条件である視聴者はディスプレイ１２を再び見始めたかを判定する。タイマー監視処理部４５は、映像処理部４２から判定結果を取得し、比較中の時間が満了になる前に視聴者はディスプレイ１２を再び見始めたかを判定する（ステップＳ８８）。
【００７４】
タイマー監視処理部４５は視聴者がディスプレイ１２を再び見始める前にディスプレイ電源１１ａに関連する待機時間がディスプレイ電源１１ａの待機許容時間を満了したと判定した場合は、ディスプレイ電源１１ａを自動で入れる機能を終了する（ステップＳ８９）。
【００７５】
ステップＳ８８において、タイマー監視処理部４５が、映像処理部４２から視聴者がディスプレイ１２を再び見始めた情報を取得すると、タイマー監視処理部４５はその情報を電源制御部４１へ提供する。電源制御部４１は、視聴者が再びディスプレイ１２を見始めた情報に基づきディスプレイ電源１１ａを入れる（ステップＳ９０）。タイマー監視処理部４５は、ディスプレイ電源に関連する待機時間をクリアする（ステップＳ９１）。これ以降は、図８に示した「６」の処理動作へ進む。
【００７６】
本発明の第２の実施の形態によって、テレビ電源１１又はディスプレイ電源１１ａを視聴者の状況に合わせて自動で切ることだけでなく、視聴者が再び視聴出来るときにテレビ電源１１又はディスプレイ電源１１ａを自動で入れることを可能にする。そして、電源を自動で入れる時間に制限を設けることによって、視聴者が意図しない時に電源を自動で入れることがないようにも配慮されている。また、テレビ電源１１又はディスプレイ電源１１ａを自動で切った後に録画する場合、視聴者が再び視聴出来るときに自動再生することを可能にした。本発明によって、視聴者の状況に合わせたテレビの省電力効果と、視聴したい番組を効率良く録画及び再生することとを共に実現出来るようになる。
【図面の簡単な説明】
【００７７】
【図１】図１は、本発明のカメラ付きテレビ１の第１の実施の形態によるハードウエア構成例を示すブロック図である。
【図２】図２は、本発明の制御装置４０の第１の実施の形態によるハードウエア構成例を示すブロック図である。
【図３】図３は、本発明のカメラ付きテレビ１の構成例の詳細を示すブロック図である。
【図４】図４は、本発明のカメラ付きテレビ１を利用時の正面図の一例である。
【図５】図５は、本発明のカメラ３０による視聴者を撮影した映像イメージである。
【図６】図６は、本発明のカメラ付きテレビ１の第１の実施の形態の処理動作における設定処理動作を示したフローチャートである。
【図７】図７は、本発明のカメラ付きテレビ１の第１の実施の形態による設定画面の構成例である。
【図８】図８は、設定情報を保存後の、カメラ付きテレビ１の第１の実施の形態による処理動作を示したフローチャートである。
【図９】図９は、電源自動切断時間の満了後の、カメラ付きテレビ１の第１の実施の形態による処理動作を示したフローチャートである。
【図１０】図１０は、本発明のカメラ付きテレビの第２の実施の形態による設定画面の構成例である。
【図１１】図１１は、電源自動切断時間の満了後の、カメラ付きテレビ１の第２の実施の形態による処理動作を示したフローチャートである。
【図１２】図１２は、図１１の「３」へ進んだ場合の、カメラ付きテレビ１の第２の実施の形態による処理動作を示したフローチャートである。
【図１３】図１３は、図１１の「５」へ進んだ場合の、カメラ付きテレビ１の第２の実施の形態による処理動作を示したフローチャートである。
【符号の説明】
【００７８】
１      カメラ付きテレビ
２      ＣＰＵ（Ｃｅｎｔｒａｌ  Ｐｒｏｃｅｓｓｉｎｇ  Ｕｎｉｔ；中央演算処理装置）
３      記憶部
４      入力部
５      出力部
６      バス
１０    テレビ装置
１１    テレビ電源
１１ａ  ディスプレイ電源
１１ｂ  スピーカ電源
１２    ディスプレイ
１３    スピーカ
１４    テレビ放送受信部
２０    記録装置
２１    受信データ保存部
３０    カメラ
４０    制御装置
４１    電源制御部
４２    映像処理部
４３    再生データ処理部
４４    設定情報保存部
４５    タイマー監視処理部
５０    入力装置
５１    リモコン
６０    通信網
【図１】
2009218755.tif 000003
【図２】
2009218755.tif 000004
【図３】
2009218755.tif 000005
【図４】
2009218755.tif 000006
【図５】
2009218755.tif 000007
【図６】
2009218755.tif 000008
【図７】
2009218755.tif 000009
【図８】
2009218755.tif 000010
【図９】
2009218755.tif 000011
【図１０】
2009218755.tif 000012
【図１１】
2009218755.tif 000013
【図１２】
2009218755.tif 000014
【図１３】
2009218755.tif 000015